【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
多数のレートに対応するインターフェイスに対してインターフェイスクロックレートを選択するための方法であって、
該インターフェイスを経由するデータの通信のための２以上の通信レートを特定するステップ、
該２以上の通信レートの概算公倍数を算出するステップ、および
該概算公倍数を該インターフェイスクロックレートとして選択するステップ
からなる方法。
【請求項２】
請求項１記載の方法であって、さらに、
複数のフレームであって各フレームが該２以上の通信レートの少なくとも１つに対応するとともにフレーム長を有する複数のフレームを規定するステップ
からなる方法。
【請求項３】
請求項２記載の方法において、該複数のフレームの各々に対するフレーム長が、該２以上の通信レートの概算公倍数をそれぞれの通信レートで割ることによって得られる方法。
【請求項４】
請求項２記載の方法において、さらに、各通信レートにその対応するフレーム長を乗じて、その結果が該２以上の通信レートにそれぞれ対応する２以上のカスタマイズド・インターフェイスクロックレートであること、によって得られるレートに、該２以上の通信レートの各々に対するインターフェイスクロックを調整するステップを含む方法。
【請求項５】
インターフェイスを介して複数の通信レートでデータを通信するための方法であって、
第１の通信レートで、該第１の通信レートに対応する第１のデータおよび第１の量のパディングビットを含む第１のフレームを、該インターフェイスを介して略固定のインターフェイスクロックレートで送信するステップ、及び
該第１の通信レートとは異なる第２の通信レートで、該第２の通信レートに対応する第２のデータおよび該第１の量のパディングビットとは異なる第２の量のパディングビットを含む第２のフレームを、該インターフェイスを介して該略固定のインターフェイスクロックレートで送信するステップ
からなり、該第１のデータが該第１の通信レートに対応するレートで通信され、該第２のデータが該第２の通信レートに対応するレートで通信される方法。
【請求項６】
請求項５記載の方法において、該略固定のインターフェイスクロックレートが該第１および第２の通信レートの概算公倍数である方法。
【請求項７】
請求項５記載の方法であって、さらに、
該第１のフレームを送信する前に、該第１の通信レートに基づいて該略固定のインターフェイスクロックレートを調整するステップ、および
該第２のフレームを送信する前に、該第２の通信レートに基づいて該略固定のインターフェイスクロックレートを調整するステップ
からなる方法。
【請求項８】
請求項７記載の方法において、該略固定のインターフェイスクロックレートが（ｉ）約３２ＭＨｚから約３５ＭＨｚの範囲、および（ii）約３５ＭＨｚから約３７ＭＨｚの範囲の一方の範囲内で調整可能である方法。
【請求項９】
時分割多重化（ＴＤＭ）を採用するインターフェイスを介して情報を送信および受信するための方法であって、
該インターフェイスの単一のＴＤＭフレームの第１のタイムスロット中に該インターフェイスを介して順方向データビットを送信するステップ、
該ＴＤＭフレームの第２のタイムスロット中に該インターフェイスを介して順方向制御ビットを送信するステップ、
該ＴＤＭフレームの第３のタイムスロット中に所定の順方向フレーミングシーケンスを送信するステップ、
該ＴＤＭフレームの第４のタイムスロット中に逆方向データビットを受信するステップ、および
該ＴＤＭフレームの第５のタイムスロット中に逆方向制御ビットを受信するステップ
からなる方法。
【請求項１０】
請求項９記載の方法において、該インターフェイスがマンチェスタ符号を採用し、該所定の順方向フレーミングシーケンスが、該インターフェイスの３連続クロックサイクル中の「１１１」のビットパターンまたは「０００」のビットパターンの一方で表される方法。
【請求項１１】
請求項９記載の方法であって、さらに、
所望の通信レートに基づいて所定量のパディングビットを決定するステップ、及び
該ＴＤＭフレームにおいて所定量のパディングビットを送信するステップ
からなる方法。
【請求項１２】
インターフェイスを介してデータを多数のデータレートでかつ略固定のインターフェイスクロックレートで通信することができる機敏な通信回路であって、
プロセッサであって、通信レートを選択するとともに該選択された通信レートに対応するフレーム長を選択するよう構成されたプロセッサ、および
フレーミング回路であって、該プロセッサに接続され、該プロセッサからデータを受信し、該インターフェイスを介した送信のために該データを少なくとも１つの可変長フレームに挿入するよう構成され、該少なくとも１つの可変長フレームの長さが該選択されたフレーム長に基づく、フレーミング回路
からなり、
該少なくとも１つの可変長フレームの長さが該インターフェイスの通信レートを決定し、
該インターフェイスクロックレートがほぼ固定で、かつ該選択された通信レートからほぼ独立した状態を保つ通信回路。
【請求項１３】
請求項１２記載の通信回路において、該フレーミング回路が所定量のパディングビットを少なくとも１つの可変長フレーム内に挿入するよう構成された通信回路。
【請求項１４】
請求項１２記載の通信回路であって、さらに、
該プロセッサに接続された可変レートのインターフェイスクロック発生器
からなり、該プロセッサがさらに、該通信レートに基づいてカスタマイズド・インターフェイスクロックレートを選択し、該カスタマイズド・クロックレートを該可変レートのインターフェイスクロック発生器に送るよう構成された通信回路。
【請求項１５】
マンチェスタ符号を採用するＴＤＭインターフェイスにおいてフレーム区切りを識別するための方法であって、
該マンチェスタ符号を採用するＴＤＭインターフェイスの３連続クロックサイクル中に「１１１」のビットパターンまたは「０００」のビットパターンの一方を送信または受信するステップであって、該「１１１」のビットパターンまたは「０００」のビットパターンの該一方がフレーム区切りを表している、ステップ
からなる方法。
【請求項１６】
請求項１５の方法であって、さらに、
少なくとも１つのデータビットをＴＤＭインターフェイスを介してマンチェスタ符号形式で送信するステップ
からなり、
２進値「０」が、第１の２ビット２進シーケンスとして送信前にマンチェスタ符号化され、
２進値「１」が、該第１の２ビット２進シーケンスとは異なる第２の２ビット２進シーケンスとして送信前にマンチェスタ符号化される方法。
【請求項１７】
請求項１５の方法において、該ＴＤＭインターフェイスが変圧器を含み、該方法がさらに、
マンチェスタ符号化を採用する該ＴＤＭインターフェイスの連続する３つの又は不連続のクロックサイクル中に、該「１１１」のビットパターンまたは「０００」のビットパターンの該他方が該変圧器における連動性のバランスをとるように、該「１１１」のビットパターンまたは「０００」のビットパターンの該他方を送信又は受信するステップ
からなる方法。
【請求項１８】
請求項１の方法において、該インターフェイスクロックレートが該インターフェイスを介して送信される信号のためのクロックレートである方法。
【手続補正２】
【補正対象書類名】明細書
【補正対象項目名】００２１
【補正方法】変更
【補正の内容】
【００２１】
他の実施例では、本発明はさらに、機敏なバリアインターフェイスを設計するための方法を提供する。設計者はバリアインターフェイスが扱わなければならない種々のデータレートの概算公倍数であるバリアクロックレートを選択する。そして、設計者は各データレートに対応するフレーム長を、バリアクロックレートをシグマ‐デルタレートで割ることによって算出する。限定するわけではないが例示の態様によって、下記の表２に、７２００、８０００、８２２９、８４００、９０００、９６００、１０２８７および１１０２５Ｈｚのサンプルレートを扱う能力のあるバリアインターフェイスについて計算された例示的フレーム長およびバリアクロック周波数を示す。ここで、シグマ‐デルタレートはサンプルレートの２５６倍に選択されている。